(57)【要約】      （修正有）【課題】ガタつきをなくし、反射板の回転方向を簡単に調整して、最良の視覚角度を得ることができ、自動車走行の安全性を向上させられる分離式ヘッドアップディスプレイデバイスを提供する。【解決手段】分離式ヘッドアップディスプレイデバイスは表示モジュールのベース底面と反射板調整モジュール２の基盤２２にそれぞれ粘着テープを設置し、フロントガラスＷ上に接着することで、反射板調整モジュールの反射板２１をダッシュボードとフロントガラスに設置した時に生じるガタつきを消す。また、表示モジュールと反射板調整モジュールとの間に旋回関節構造Ａ、Ｂ、Ｃを設置し、反射板の上下左右角度を調節する。【選択図】図１０
0003204732.tif 000002
【実用新案登録請求の範囲】
【請求項１】
分離式ヘッドアップディスプレイデバイスは、表示モジュール、反射板調整モジュールを有し、
前記表示モジュールは、表示ユニット、ベース及び回路基板を有し、前記表示ユニットは、前記回路基板に電気的に連接し、前記回路基板が出力する映像を受け取り、映像を投射し、
前記反射板調整モジュールは、反射板及び基盤を有し、前記反射板の片側には、第一関節ユニットを設置し、前記基盤の片側には、第二関節ユニットを設置し、前記第二関節ユニットと前記第一関節ユニットは、相互に係合して結合し、第一旋回関節を形成することを特徴とする分離式ヘッドアップディスプレイデバイス。
【請求項２】
前記ベースの底面には、粘着テープを設置し、フロントガラス上に接着し、
前記ベースの上方には、スライド槽を設置し、これに前記表示ユニットをスライドさせて入れ固定することを特徴とする請求項１に記載の分離式ヘッドアップディスプレイデバイス。
【請求項３】
前記表示モジュールは、コントロールユニット、無線ユニット、スピーカーユニット及び音声受取ユニットをさらに有し、前記各ユニットは、前記回路基板に電気的に連接することを特徴とする請求項１に記載の分離式ヘッドアップディスプレイデバイス。
【請求項４】
前記基盤底面には、粘着テープを設置し、フロントガラス上に接着することを特徴とする請求項１に記載の分離式ヘッドアップディスプレイデバイス。
【請求項５】
前記第一旋回関節は、ユニバーサルステアリングジョイントで、前記第一関節ユニットは、球型構造で、前記第二関節ユニットは、凹型構造であることを特徴とする請求項１に記載の分離式ヘッドアップディスプレイデバイス。
【請求項６】
前記反射板は、半透明半反射効果を備える凹面鏡であることを特徴とする請求項１に記載の分離式ヘッドアップディスプレイデバイス。
【請求項７】
分離式ヘッドアップディスプレイは、表示モジュール、反射板調整モジュールを有し、
前記表示モジュールは、表示ユニット、ベース及び回路基板を有し、前記表示ユニットは、前記回路基板に電気的に連接し、前記回路基板が出力する映像を受け取り、映像を投射し、
前記反射板調整モジュールは、反射板、基盤及びサポートアームを有し、前記反射板の片側には、第一関節ユニットと第三関節ユニットを設置し、前記基盤の片側には、第二関節ユニットを設置し、前記第二関節ユニット、前記第一関節ユニットは、相互に係合して結合し、第一旋回関節を形成し、
前記サポートアームの前端には、第四関節ユニットを設置し、前記第四関節ユニット、前記第三関節ユニットは、相互に係合して結合し、第二旋回関節を形成することを特徴とする分離式ヘッドアップディスプレイデバイス。
【請求項８】
前記ベースの底面には、粘着テープを設置し、フロントガラス上に接着し、
前記ベースの上方には、スライド槽を設置し、前記表示ユニットをスライドさせて入れ固定することを特徴とする請求項７に記載の分離式ヘッドアップディスプレイデバイス。
【請求項９】
前記表示モジュールは、コントロールユニット、無線ユニット、スピーカーユニット及び音声受取ユニットをさらに有し、
前記各ユニットは、前記回路基板に電気的に連接することを特徴とする請求項７に記載の分離式ヘッドアップディスプレイデバイス。
【請求項１０】
前記反射板は、半透明半反射効果を備える凹面鏡であることを特徴とする請求項７に記載の分離式ヘッドアップディスプレイデバイス。
【請求項１１】
前記基盤底面には、粘着テープを設置し、フロントガラス上に接着することを特徴とする請求項７に記載の分離式ヘッドアップディスプレイデバイス。
【請求項１２】
前記基盤には、吸磁性金属板を設置し、
前記サポートアームの後端には、磁石を設置することを特徴とする請求項７に記載の分離式ヘッドアップディスプレイデバイス。
【請求項１３】
前記基盤には、スライドレールを設置し、
前記サポートアームの後端は、前記基盤のスライドレールに嵌めて入れられることを特徴とする請求項７に記載の分離式ヘッドアップディスプレイデバイス。
【請求項１４】
前記第一旋回関節は、ユニバーサルステアリングジョイントで、前記第二旋回関節は、ユニバーサルステアリングジョイントで、前記第一関節ユニット、前記第三関節ユニットは、球型構造で、
前記第二関節ユニット、前記第四関節ユニットは、凹型構造であることを特徴とする請求項７に記載の分離式ヘッドアップディスプレイデバイス。
【請求項１５】
前記第一旋回関節は、ユニバーサルステアリングジョイントで、前記第二旋回関節は、ユニバーサルステアリングジョイントで、前記第一関節ユニット、前記第四関節ユニットは、球型構造で、
前記第二関節ユニット、前記第三関節ユニットは、凹型構造であることを特徴とする請求項７に記載の分離式ヘッドアップディスプレイデバイス。
【請求項１６】
分離式ヘッドアップディスプレイは、表示モジュール、反射板調整モジュールを有し、
前記表示モジュールは、表示ユニット、ベース及び回路基板を有し、前記表示ユニットは、前記回路基板に電気的に連接し、前記回路基板が出力する映像を受け取り、映像を投射し、
前記反射板調整モジュールは、反射板、基盤、サポートアーム及びスライドキットを有し、前記反射板の片側には、第一関節ユニットと第三関節ユニットを設置し、前記基盤の片側には、第二関節ユニットを設置し、前記第二関節ユニット、前記第一関節ユニットは相互に係合して結合し、第一旋回関節を形成し、
前記サポートアームの前端には、第四関節ユニットを設置し、前記サポートアーム後端には、第五関節ユニットを設置し、前記第四関節ユニット、前記第三関節ユニットは、相互に係合して結合し、第二旋回関節を形成し、
前記スライドキットの前端には、第六関節ユニットを設置し、前記第六関節ユニットと前記サポートアームの第五関節ユニットは、相互に係合して結合し、第三旋回関節を形成することを特徴とする分離式ヘッドアップディスプレイデバイス。
【請求項１７】
前記ベースの底面には、粘着テープを設置し、フロントガラス上に接着し、
前記ベースの上方には、スライド槽を設置し、前記表示ユニットをスライドさせて入れ固定することを特徴とする請求項１６に記載の分離式ヘッドアップディスプレイデバイス。
【請求項１８】
前記表示モジュールは、コントロールユニット、無線ユニット、スピーカーユニット及び音声受取ユニットをさらに有し、
前記各ユニットは、前記回路基板に電気的に連接することを特徴とする請求項１６に記載の分離式ヘッドアップディスプレイデバイス。
【請求項１９】
前記反射板は、半透明半反射効果を備える凹面鏡であることを特徴とする請求項１６に記載の分離式ヘッドアップディスプレイデバイス。
【請求項２０】
前記基盤底面には、粘着テープを設置し、フロントガラス上に接着することを特徴とする請求項１６に記載の分離式ヘッドアップディスプレイデバイス。
【請求項２１】
前記基盤には、吸磁性金属板を設置し、前記スライドキットの後端には、磁石を設置することを特徴とする請求項１６に記載の分離式ヘッドアップディスプレイデバイス。
【請求項２２】
前記基盤には、スライドレールを設置し、前記スライドキットの後端は、前記基盤のスライドレールに嵌めて入れられることを特徴とする請求項１６に記載の分離式ヘッドアップディスプレイデバイス。
【請求項２３】
前記第一旋回関節は、ユニバーサルステアリングジョイントで、前記第二旋回関節は、回転軸構造で、前記第三旋回関節は、ユニバーサルステアリングジョイントで、前記第一関節ユニット、前記第五関節ユニットは、球型構造で、前記第二関節ユニット、前記第六関節ユニットは、凹型構造で、
前記第三関節ユニット、前記第四関節ユニットは、回転軸構造であることを特徴とする請求項１６に記載の分離式ヘッドアップディスプレイデバイス。
【請求項２４】
前記第一旋回関節は、ユニバーサルステアリングジョイントで、前記第二旋回関節は、回転軸構造で、前記第三旋回関節は、ユニバーサルステアリングジョイントで、前記第一関節ユニット、前記第六関節ユニットは、球型構造で、前記第二関節ユニット、前記第五関節ユニットは、凹型構造で、
前記第三関節ユニット、前記第四関節ユニットは、回転軸構造であることを特徴とする請求項１６に記載の分離式ヘッドアップディスプレイデバイス。
【請求項２５】
前記第一旋回関節は、ユニバーサルステアリングジョイントで、前記第二旋回関節は、ユニバーサルステアリングジョイントで、前記第三旋回関節は、回転軸構造で、前記第一関節ユニット、前記第三関節ユニットは、球型構造で、前記第二関節ユニット、前記第四関節ユニットは、凹型構造で、
前記第五関節ユニット、前記第六関節ユニットは、回転軸構造であることを特徴とする請求項１６に記載の分離式ヘッドアップディスプレイデバイス。
【請求項２６】
前記第一旋回関節は、ユニバーサルステアリングジョイントで、前記第二旋回関節は、ユニバーサルステアリングジョイントで、前記第三旋回関節は、回転軸構造で、前記第一関節ユニット、前記第四関節ユニットは、球型構造で、
前記第二関節ユニット、前記第三関節ユニットは、凹型構造で、
前記第五関節ユニット、前記第六関節ユニットは、回転軸構造であることを特徴とする請求項１６に記載の分離式ヘッドアップディスプレイデバイス。
【請求項２７】
前記第一旋回関節は、ユニバーサルステアリングジョイントで、前記第二旋回関節は、ユニバーサルステアリングジョイントで、前記第三旋回関節は、ユニバーサルステアリングジョイントで、前記第一関節ユニット、前記第三関節ユニット、前記第六関節ユニットは、球型構造で、
前記第二関節ユニット、前記第四関節ユニット、前記第五関節ユニットは、凹型構造であることを特徴とする請求項１６に記載の分離式ヘッドアップディスプレイデバイス。
【請求項２８】
前記第一旋回関節は、ユニバーサルステアリングジョイントで、前記第二旋回関節は、ユニバーサルステアリングジョイントで、前記第三旋回関節は、ユニバーサルステアリングジョイントで、前記第一関節ユニット、前記第三関節ユニット、前記第五関節ユニットは、球型構造で、
前記第二関節ユニット、前記第四関節ユニット、前記第六関節ユニットは、凹型構造であることを特徴とする請求項１６に記載の分離式ヘッドアップディスプレイデバイス。
【請求項２９】
前記第一旋回関節は、ユニバーサルステアリングジョイントで、前記第二旋回関節は、ユニバーサルステアリングジョイントで、前記第三旋回関節は、ユニバーサルステアリングジョイントで、前記第一関節ユニット、前記第四関節ユニット、前記第六関節ユニットは、球型構造で、
前記第二関節ユニット、前記第三関節ユニット、前記第五関節ユニットは、凹型構造であることを特徴とする請求項１６に記載の分離式ヘッドアップディスプレイデバイス。
【請求項３０】
前記第一旋回関節は、ユニバーサルステアリングジョイントで、前記第二旋回関節は、ユニバーサルステアリングジョイントで、前記第三旋回関節は、ユニバーサルステアリングジョイントで、前記第一関節ユニット、前記第四関節ユニット、前記第五関節ユニットは、球型構造で、
前記第二関節ユニット、前記第三関節ユニット、前記第六関節ユニットは、凹型構造であることを特徴とする請求項１６に記載の分離式ヘッドアップディスプレイデバイス。
【考案の詳細な説明】
【技術分野】
【０００１】
本考案は分離式ヘッドアップディスプレイデバイスに関し、特にガタつきをなくし、及び反射板回転方向の調整が容易なヘッドアップディスプレイデバイスで、これによりドライバーは反射板の回転方向を簡単に調整でき、最良の視覚角度を得ることができ、こうして自動車走行の安全性を向上させられる分離式ヘッドアップディスプレイデバイスに関する。
【背景技術】
【０００２】
車上の各種情報はどんどん増えている。しかし、運転時に関連情報を読み取る際には、視線が道路を離れ、危険が発生しやすい。ヘッドアップディスプレイを用いれば、ドライバーは情報を読み取ると同時に、前方の道路状況に顔を向けることができる。特に、凹面鏡仮想イメージ結像のヘッドアップディスプレイは、表示面積を拡大でき、表示する像を、ドライバーの目から一定距離、通常２メートル以上離すことができる。こうして、ドライバーは表示情報を注視する時にも、その視線の焦点距離と道路路況を注視する視線の焦点距離は接近する。よって、ドライバーは情報を読み取る時にも同時に道路状況にも気を配ることができ、自動車走行の危険性を大幅に低下させることができる。
【０００３】
ヘッドアップディスプレイの仮想イメージ結像の原理は凹面鏡の結像（凹面鏡結像公式：公式：１／ｐ＋１／ｑ＝１／ｆ；ｆ：焦点距離，ｑ：物体距離，ｐ：像距離）を用いる。一般に倍率を拡大すると、仮想イメージを拡大でき、同比率で、仮想イメージ距離を遠くし、およそ４倍から６倍の間で、読取者は最良の状態を得ることができるが、拡大倍率が過大であれば、読取者は眩暈を感じる。仮想イメージ結像において、ドライバー眼球との距離を２メートル以上とするためには、結像を反射板後方約１．２メートル以上、つまりスクリーンから凹面鏡までの光路距離を、約２４センチ以上（仮に拡大倍率を５倍とする）とする必要がある。光路は鏡面による反射により距離を拡大するが、光路が占める体積は非常に大きく、通常は自動車ダッシュボード内部に特に空間を開けて、ヘッドアップディスプレイデバイスを設置する必要がある。
【０００４】
関連技術には特許文献１、特許文献２、特許文献３、特許文献４、特許文献５、特許文献６、特許文献７、特許文献８、特許文献９、特許文献１０がある。上記した特許文献に開示する技術には、使用において以下の欠点が存在する。
【０００５】
１．後付け市場では、ヘッドアップディスプレイのデバイスをダッシュボード上に設置するが、通常は光路が占める体積が大きすぎるため設置できず、或いはドライバー視線を妨げるという問題がある。
２.後付け光路の体積が過大であるという方法を解決するため、分離方式が採用されている。それは表示スクリーンをフロントガラスの上部に固定し、反射板をダッシュボード上に固定する。しかし、多くの車両のダッシュボードは、エンジン或いは空調コンプレッサーの運転により震動を生じる。この種の震動は、その上に固定する反射板も震動させるが、凹面鏡の拡大作用により、震動の移動は拡大比率の拡大作用を生じ、画面は深刻なガタつきを生じる。
【先行技術文献】
【特許文献】
【０００６】
【特許文献１】台湾特許第Ｍ４２６６８１号明細書
【特許文献２】台湾特許第Ｍ４６３２１７号明細書
【特許文献３】台湾特許第Ｍ５１５１１１号明細書
【特許文献４】台湾特許第Ｍ４３９１８１号明細書
【特許文献５】台湾特許第Ｍ４６４６６８号明細書
【特許文献６】台湾特許第Ｍ４６８４５４号明細書
【特許文献７】台湾特許第Ｉ３２６６５２号明細書
【特許文献８】台湾特許第２０１１２２５４８号明細書
【特許文献９】台湾特許第２０１１４４８６１号明細書
【特許文献１０】台湾特許第２０１４００３２９号明細書
【考案の概要】
【考案が解決しようとする課題】
【０００７】
前記先行技術には、使用において様々な欠点が存在する。
【課題を解決するための手段】
【０００８】
本考案はガタつきをなくし、及び反射板回転方向の調整が容易なヘッドアップディスプレイデバイスで、これによりドライバーは反射板の回転方向を簡単に調整でき、最良の視覚角度を得ることができ、こうして自動車走行の安全性を向上させられる分離式ヘッドアップディスプレイデバイスに関する。
【０００９】
本考案による分離式ヘッドアップディスプレイデバイスの第一実施形態は、表示モジュール、反射板調整モジュールを含む。
該表示モジュールは、表示ユニット、ベース及び回路基板を有する。
該表示ユニットは、回路基板に電気的に連接し、該回路基板が出力する映像を受け取り、映像を投射する。
該反射板調整モジュールは、反射板及び基盤を有し、該反射板の片側には、第一関節ユニットを設置し、該基盤の片側には、第二関節ユニットを設置し、該第二関節ユニット、該第一関節ユニットは、相互に係合して結合し、第一旋回関節を形成する。
該ベースの底面には、粘着テープを設置し、フロントガラス上に接着する。
該ベースの上方には、スライド槽を設置し、該表示ユニットをスライドさせて入れ固定する。
該表示モジュールは、コントロールユニット、無線ユニット、スピーカーユニット及び音声受取ユニットをさらに有し、該各ユニットは、該回路基板に電気的に連接する。
該基盤の底面には、粘着テープを設置し、フロントガラス上に接着される。
該第一旋回関節は、ユニバーサルステアリングジョイントで、該第一関節ユニットは、球型構造で、該第二関節ユニットは、凹型構造である。
該反射板は、半透明半反射効果を備える凹面鏡である。
【００１０】
本考案による分離式ヘッドアップディスプレイデバイスの第二実施形態は、表示モジュール、反射板調整モジュールを有する。
該表示モジュールは、表示ユニット、ベース及び回路基板を有する。
該表示ユニットは、回路基板に電気的に連接し、該回路基板が出力する映像を受け取り、映像を投射する。
該反射板調整モジュールは、反射板、基盤及びサポートアームを有し、該反射板の片側には、第一関節ユニットと第三関節ユニットを設置し、該基盤の片側には、第二関節ユニットを設置し、該第二関節ユニット、該第一関節ユニットは、相互に係合して結合し、第一旋回関節を形成する。
該サポートアームの前端には、第四関節ユニットを設置し、該第四関節ユニット、該第三関節ユニットは、相互に係合して結合し、第二旋回関節を形成する。
該ベースの底面には、粘着テープを設置し、フロントガラス上に接着する。
該ベースの上方には、スライド槽を設置し、該表示ユニットをスライドさせて入れ固定する。
該表示モジュールは、コントロールユニット、無線ユニット、スピーカーユニット及び音声受取ユニットをさらに有し、該各ユニットは、該回路基板に電気的に連接する。
該反射板は、半透明半反射効果を備える凹面鏡である。
該基盤の底面には、粘着テープを設置し、フロントガラス上に接着される。
該基盤には、吸磁性金属板を設置する。
該サポートアームの後端には、磁石を設置する。
該基盤には、スライドレールを設置し、該サポートアームの後端は、該基盤のスライドレールに嵌めて入れられる。
【００１１】
本考案による第一旋回関節は、ユニバーサルステアリングジョイントで、該第二旋回関節は、ユニバーサルステアリングジョイントで、該第一関節ユニット、該第三関節ユニットは、球型構造である。
該第二関節ユニット、該第四関節ユニットは、凹型構造である。
【００１２】
本考案による第一旋回関節は、ユニバーサルステアリングジョイントで、該第二旋回関節は、ユニバーサルステアリングジョイントで、該第一関節ユニット、該第四関節ユニットは、球型構造である。
該第二関節ユニット、該第三関節ユニットは、凹型構造である。
【００１３】
本考案による分離式ヘッドアップディスプレイデバイスの第三実施形態は、表示モジュール、反射板調整モジュールを有する。
該表示モジュールは、表示ユニット、ベース及び回路基板を有し、該表示ユニットは、回路基板に電気的に連接し、該回路基板が出力する映像を受け取り、映像を投射する。
該反射板調整モジュールは、反射板、基盤、サポートアーム及びスライドキットを有する。
該反射板の片側には、第一関節ユニットと第三関節ユニットを設置する。
該基盤の片側には、第二関節ユニットを設置し、該第二関節ユニット、該第一関節ユニットは、相互に係合して結合し、第一旋回関節を形成する。
該サポートアームの前端には、第四関節ユニットを設置し、該サポートアーム後端には、第五関節ユニットを設置する。
該第四関節ユニット、該第三関節ユニットは、相互に係合して結合し、第二旋回関節を形成する。
該スライドキットの前端には、第六関節ユニットを設置する。
該第六関節ユニットと該サポートアームの第五関節ユニットは、相互に係合して結合し、第三旋回関節を形成する。
該ベースの底面には、粘着テープを設置し、フロントガラス上に接着する。
該ベースの上方には、スライド槽を設置し、該表示ユニットをスライドさせて入れ固定する。
該表示モジュールは、コントロールユニット、無線ユニット、スピーカーユニット及び音声受取ユニットをさらに有し、該各ユニットは、該回路基板に電気的に連接する。
該反射板は、半透明半反射効果を備える凹面鏡である。
該基盤の底面には、粘着テープを設置し、フロントガラス上に接着される。
該基盤には、吸磁性金属板を設置する。
該スライドキットの後端には、磁石を設置する。
該基盤には、スライドレールを設置し、該スライドキットの後端は、該基盤のスライドレールに嵌めて入れられる。
【００１４】
本考案による第一旋回関節は、ユニバーサルステアリングジョイントで、該第二旋回関節は、回転軸構造である。
該第三旋回関節は、ユニバーサルステアリングジョイントで、該第一関節ユニット、該第五関節ユニットは、球型構造である。
該第二関節ユニット、該第六関節ユニットは、凹型構造である。
該第三関節ユニット、該第四関節ユニットは、回転軸構造である。
【００１５】
本考案による第一旋回関節は、ユニバーサルステアリングジョイントで、該第二旋回関節は、回転軸構造である。
該第三旋回関節は、ユニバーサルステアリングジョイントで、該第一関節ユニット、該第六関節ユニットは、球型構造である。
該第二関節ユニット、該第五関節ユニットは、凹型構造である。
該第三関節ユニット、該第四関節ユニットは、回転軸構造である。
【００１６】
本考案による第一旋回関節は、ユニバーサルステアリングジョイントで、該第二旋回関節は、ユニバーサルステアリングジョイントで、該第三旋回関節は、回転軸構造である。
該第一関節ユニット、該第三関節ユニットは、球型構造である。
該第二関節ユニット、該第四関節ユニットは、凹型構造である。
該第五関節ユニット、該第六関節ユニットは、回転軸構造である。
【００１７】
本考案による第一旋回関節は、ユニバーサルステアリングジョイントで、該第二旋回関節は、ユニバーサルステアリングジョイントで、該第三旋回関節は、回転軸構造である。
該第一関節ユニット、該第四関節ユニットは、球型構造である。
該第二関節ユニット、該第三関節ユニットは、凹型構造である。
該第五関節ユニット、該第六関節ユニットは、回転軸構造である。
【００１８】
本考案による第一旋回関節は、ユニバーサルステアリングジョイントで、該第二旋回関節は、ユニバーサルステアリングジョイントで、該第三旋回関節は、ユニバーサルステアリングジョイントで、該第一関節ユニット、該第三関節ユニット、該第六関節ユニットは、球型構造である。
該第二関節ユニット、該第四関節ユニット、該第五関節ユニットは、凹型構造である。
【００１９】
本考案による第一旋回関節は、ユニバーサルステアリングジョイントで、該第二旋回関節は、ユニバーサルステアリングジョイントで、該第三旋回関節は、ユニバーサルステアリングジョイントで、該第一関節ユニット、該第三関節ユニット、該第五関節ユニットは、球型構造である。
該第二関節ユニット、該第四関節ユニット、該第六関節ユニットは、凹型構造である。
【００２０】
本考案による第一旋回関節は、ユニバーサルステアリングジョイントで、該第二旋回関節は、ユニバーサルステアリングジョイントで、該第三旋回関節は、ユニバーサルステアリングジョイントで、該第一関節ユニット、該第四関節ユニット、該第六関節ユニットは、球型構造である。
該第二関節ユニット、該第三関節ユニット、該第五関節ユニットは、凹型構造である。
【００２１】
本考案による第一旋回関節は、ユニバーサルステアリングジョイントで、該第二旋回関節は、ユニバーサルステアリングジョイントで、該第三旋回関節は、ユニバーサルステアリングジョイントで、該第一関節ユニット、該第四関節ユニット、該第五関節ユニットは、球型構造である。
該第二関節ユニット、該第三関節ユニット、該第六関節ユニットは、凹型構造である。    
【考案の効果】
【００２２】
本考案の分離式ヘッドアップディスプレイデバイスは、ガタつきをなくし、及び反射板回転方向の調整が容易なヘッドアップディスプレイデバイスで、これによりドライバーは反射板の回転方向を簡単に調整でき、最良の視覚角度を得ることができ、こうして自動車走行の安全性を向上させられる。
【図面の簡単な説明】
【００２３】
【図１】本考案の分離式ヘッドアップディスプレイデバイスを車上に取り付ける実施形態の模式図である。
【図２】本考案の表示モジュールの立体模式図である。
【図３】本考案のベースの立体模式図である。
【図４】本考案の回路基板の回路ブロックチャートである。
【図５】本考案の分離式ヘッドアップディスプレイデバイスの第一実施形態の模式図である。
【図６】本考案の分離式ヘッドアップディスプレイデバイスの第二実施形態の模式図である。
【図７】本考案の分離式ヘッドアップディスプレイデバイスの第二実施形態の別種の実施方式の模式図である。
【図８】本考案の分離式ヘッドアップディスプレイデバイスの第三実施形態の模式図である。
【図９】本考案の分離式ヘッドアップディスプレイデバイスの第三実施形態の別種の実施方式（一）の模式図である。
【図１０】本考案の分離式ヘッドアップディスプレイデバイスの第三実施形態の別種の実施方式（二）の模式図である。
【図１１】本考案の分離式ヘッドアップディスプレイデバイスの第三実施形態の別種の実施方式（三）の模式図である。
【図１２】本考案の分離式ヘッドアップディスプレイデバイスの第三実施形態の別種の実施方式（四）の模式図である。
【図１３】本考案の分離式ヘッドアップディスプレイデバイスの第三実施形態の別種の実施方式（五）の模式図である。
【図１４】本考案の分離式ヘッドアップディスプレイデバイスの第三実施形態の別種の実施方式（六）の模式図である。
【図１５】本考案の分離式ヘッドアップディスプレイデバイスの第三実施形態の別種の実施方式（七）の模式図である。
【考案を実施するための形態】
【００２４】
［実施例１］
図１〜図５に示す通り、本考案の分離式ヘッドアップディスプレイデバイスの第一実施形態は、表示モジュール１、反射板調整モジュール２を有する。
表示モジュール１は、表示ユニット１１、ベース１２及び回路基板１３を有する。
ベース１２の底面には、粘着テープ１２１を設置し、フロントガラスＷ上に接着する。
粘着テープ１２１は、両面テープである。
ベース１２の上方には、スライド槽１２２を設置する。
スライド槽１２２には、表示ユニット１１をスライドさせて入れ固定する。
回路基板１３は、プロセッサー１３０を有する。
プロセッサー１３０データ処理をコントロールし、関連情報の処理を行い、画面情報を出力する。
表示ユニット１１は、回路基板１３に電気的に連接し、回路基板１３が出力する映像を受け取り、映像を投射する。
【００２５】
反射板調整モジュール２は、反射板２１及び基盤２２を有する。
反射板２１は、半透明半反射効果を備える凹面鏡で、反射板２１は、凹面鏡の仮想イメージ結像拡大を利用し、同比率で仮想イメージ距離を遠くでき、表示モジュール１１が投射する映像を反射拡大する。
反射板２１の片側には、第一関節ユニット２１１を設置する。
【００２６】
基盤２２の底面には、粘着テープを設置し、フロントガラスＷ上に接着される。
基盤２２の片側には、第二関節ユニット２２１を設置し、第二関節ユニット２２１と反射板２１の第一関節ユニット２１１は、相互に係合して結合し、第一旋回関節Ａを形成する。
これにより、第一旋回関節Ａに連接される反射板２１は、限度のある上下左右旋回を行うことができ、その回転方向を簡単に調整可能なため、ドライバーは最良の視覚角度を得ることができる。
【００２７】
図４に示す通り、本考案の表示モジュール１は、コントロールユニット１４、無線ユニット１５、スピーカーユニット１６及び音声受取ユニット１７をさらに有する。
【００２８】
コントロールユニット１４は、表示モジュール１に設置され、回路基板１３に電気的に連接する。
コントロールユニット１４は、分離式ヘッドアップディスプレイデバイスの機能コントロールユニットである。
コントロールユニット１４は、電源ボタン１４１、再生ボタン１４２、映像切換ボタン１４３、通話ボタン１４４及びダイヤル１４５を有する。
電源ボタン１４１は、表示モジュール１を起動する。
再生ボタン１４２は、音楽ファイルの再生に用いる。
映像切換ボタン１４３は、ナビゲーション画面、設定画面等の回路基板１３が出力する映像を切り換えるために用いる。
通話ボタン１４４は、スピーカーフォンとして用いる。
ダイヤル１４５は、音量調整ダイヤルで、ダイヤル１４５を右に回すと音量が増え、音が大きくなり、ダイヤル１４５を左に回すと、音量が減り、音が小さくなる。
【００２９】
無線ユニット１５は、電子デバイスＥが無線伝送する信号データの受信に用いる。無線ユニット１５は、ブルートゥース（登録商標）或いはＷｉＦｉ（登録商標）で、電子デバイスＥは、車用デバイス、車載コンピューター、車用音響デバイス、天井取付型マルチメディア再生デバイス、ヘッドレスト型マルチメディア再生デバイス、スピーカーフォンデバイス、ナビゲーションデバイス、タイヤ空気圧監視デバイス、スマートフォン或いはタブレットＰＣ等である。
【００３０】
無線ユニット１５と車両の電子デバイスＥとを無線連結すると、車速を表示でき、画面情報は、車両電池残量、ドアの閉鎖の有無、トランクの閉鎖の有無、自動車走行速度、道路制限速度、ナビゲーション方向指示等メッセージで、例えばタイヤ空気圧監視デバイスは、車両タイヤ空気圧を示す。
無線ユニット１５と携帯電話とを連結すると、画面情報は上記の情報を表示できる他、携帯電話ＡＰＰが伝送する各項情報を表示でき、携帯電話の音楽再生を無線で無線ユニット１５に伝送することもできる。
【００３１】
スピーカーユニット１６は、回路基板１３に電気的に連接し、スピーカーユニット１６は、音声メッセージを出力しドライバーに伝え、電子デバイスＥから伝送される音声ファイルを再生し、或いはアラームとして用いることができる。
【００３２】
音声受取ユニット１７は、回路基板１３に電気的に連接し、音声受取ユニット１７は、音声メッセージを受け取り、スピーカーフォンとして用いる。
【００３３】
図５に示す通り、旋回関節Ａは、ユニバーサルステアリングジョイントで、第一関節ユニット２１１は、球型構造で、第二関節ユニット２２１は、凹型構造である。
【００３４】
図１〜図４及び図６、図７に示す通り、本考案の分離式ヘッドアップディスプレイデバイスの第二実施形態は、表示モジュール１、反射板調整モジュール２を有する。
表示モジュール１は、表示ユニット１１、ベース１２及び回路基板１３を有する。
ベース１２の底面には、粘着テープ１２１を設置し、フロントガラスＷ上に接着する。
粘着テープ１２１は、両面テープで、ベース１２の上方には、スライド槽１２２を設置する。
スライド槽１２２には、表示ユニット１１をスライドさせて入れ固定する。
回路基板１３は、プロセッサー１３０を有する。
プロセッサー１３０は、データ処理をコントロールし、関連情報処理を行い、画面情報を出力する。
表示ユニット１１は、回路基板１３に電気的に連接し、回路基板１３が出力する映像を受け取り、映像を投射する。
【００３５】
反射板調整モジュール２は、反射板２１、基盤２２及びサポートアーム２３を有する。
反射板２１は、半透明半反射効果を備える凹面鏡で、反射板２１は、凹面鏡の仮想イメージ結像拡大を利用し、同比率で仮想イメージ距離を遠くでき、表示モジュール１が投射する映像を反射拡大する。
反射板２１の片側には、第一関節ユニット２１１と第三関節ユニット２１２を設置する。
【００３６】
基盤２２の底面には、粘着テープ１２１を設置し、フロントガラスＷ上に接着する。
基盤２２の片側には、第二関節ユニット２２１を設置し、第二関節ユニット２２１と反射板２１の第一関節ユニット２１１は、相互に係合して結合し、第一旋回関節Ａを形成する。
【００３７】
サポートアーム２３の前端には、第四関節ユニット２３１を設置する。
第四関節ユニット２３１と反射板２１片側の第三関節ユニット２１２は、相互に係合して結合し、第二旋回関節Ｂを形成する。
これにより、第二旋回関節Ｂに連接される反射板２１は、限度を有する上下左右旋回を行え、その回転方向を簡単に調整可能なため、ドライバーは最良の視覚角度を得ることができる。
【００３８】
図４に示す通り、本考案の表示モジュール１は、コントロールユニット１４、無線ユニット１５、スピーカーユニット１６及び音声受取ユニット１７をさらに有する。
【００３９】
コントロールユニット１４は、表示モジュール１に設置され、回路基板１３に電気的に連接する。
コントロールユニット１４は、分離式ヘッドアップディスプレイデバイスの機能コントロールユニットである。
コントロールユニット１４は、電源ボタン１４１、再生ボタン１４２、映像切換ボタン１４３、通話ボタン１４４及びダイヤル１４５を有する。
電源ボタン１４１は、表示モジュール１を起動する。
再生ボタン１４２は、音楽ファイルの再生に用いる。
映像切換ボタン１４３は、ナビゲーション画面、設定画面等の回路基板１３が出力する映像を切り換えるために用いる。
通話ボタン１４４は、スピーカーフォンとして用いる。
ダイヤル１４５は、音量調整ダイヤルで、ダイヤル１４５を右に回すと音量が増え、音が大きくなり、ダイヤル１４５を左に回すと、音量が減り、音が小さくなる。
【００４０】
無線ユニット１５は、電子デバイスＥが無線伝送する信号データを受け取る。
無線ユニット１５は、ブルートゥース（登録商標）或いはＷｉＦｉ（登録商標）で、電子デバイスＥは、車用デバイス、車載コンピューター、車用音響デバイス、天井取付型マルチメディア再生デバイス、ヘッドレスト型マルチメディア再生デバイス、スピーカーフォンデバイス、ナビゲーションデバイス、タイヤ空気圧監視デバイス、スマートフォン或いはタブレットＰＣ等である。
無線ユニット１５と車両の電子デバイスＥとが無線連結すると、車速を表示でき、画面情報は、車両電池残量、ドアの閉鎖の有無、トランクの閉鎖の有無、自動車走行速度、道路制限速度、ナビゲーション方向指示等メッセージで、例えばタイヤ空気圧監視デバイスは、車両のタイヤ空気圧を表示する。
無線ユニット１５と携帯電話とが連結すると、画面情報は車速を表示する他、携帯電話ＡＰＰが伝送する各項情報を表示でき、例えば携帯電話音楽再生は無線ユニット１５へと無線伝送される。
【００４１】
スピーカーユニット１６は、回路基板１３に電気的に連接し、スピーカーユニット１６は、音声メッセージを出力しドライバーに伝え、電子デバイスＥから伝送される音声ファイルを再生し、或いはアラームとして用いることができる。
【００４２】
音声受取ユニット１７は、回路基板１３に電気的に連接し、音声受取ユニット１７は、音声メッセージを受け取り、スピーカーフォンとして用いる。
【００４３】
図６に示す通り、基盤２２には、吸磁性金属板２２２を設置する。
サポートアーム２３の後端には、磁石２３３を設置し、磁石２３３と吸磁性金属板２２２とが相互に吸着する方式で固定される。
これにより、サポートアーム２３の後端は、基盤２２に固定され、比較的大きな力を加えれば、滑り動かすことができる。
【００４４】
図７に示す通り、基盤２２には、スライドレール２２３をさらに有する。
サポートアーム２３の後端は、基盤２２のスライドレール２２３に嵌め入れられる。
サポートアーム２３後端は、スライドレール２２３においてスライドする方式で固定され、これによりサポートアーム２３後端は、基盤２２に固定され、比較的大きな力を加えれば、滑り動かすことができる。
【００４５】
図６に示す通り、第一旋回関節Ａ及び第二旋回関節Ｂは、ユニバーサルステアリングジョイントで、第一関節ユニット２１１と第三関節ユニット２１２は、球型構造である。
第二関節ユニット２２１と第四関節ユニット２３１は、凹型構造である。
【００４６】
図７に示す通り、第一旋回関節Ａ及び第二旋回関節Ｂは、ユニバーサルステアリングジョイントで、第一関節ユニット２１１と第四関節ユニット２３１は、球型構造である。
第二関節ユニット２２１と第三関節ユニット２１２は、凹型構造である。
【００４７】
図１〜図４及び図８〜図１５に示す通り、本考案の分離式ヘッドアップディスプレイデバイスの第三実施形態は、表示モジュール１、反射板調整モジュール２を有する。
表示モジュール１は、表示ユニット１１、ベース１２及び回路基板１３を有する。
ベース１２の底面には、粘着テープ１２１を設置し、フロントガラスＷ上に接着する。
粘着テープ１２１は、両面テープで、ベース１２の上方には、スライド槽１２２を設置する。
スライド槽１２２には、表示ユニット１１をスライドさせて入れ固定する。
回路基板１３は、プロセッサー１３０を有する。
プロセッサー１３０は、データ処理をコントロールし、関連情報処理を行い、画面情報を出力する。
表示ユニット１１は、回路基板１３に電気的に連接し、回路基板１３が出力する映像を受け取り、映像を投射する。
【００４８】
反射板調整モジュール２は、反射板２１、基盤２２、サポートアーム２３及びスライドキット２４を有する。
反射板２１は、半透明半反射効果を備える凹面鏡で、反射板２１は、凹面鏡の仮想イメージ結像拡大を利用し、同比率で仮想イメージ距離を遠くでき、表示モジュール１が投射する映像を反射拡大する。
反射板２１の片側には、第一関節ユニット２１１と第三関節ユニット２１２を設置する。
【００４９】
基盤２２の底面には、粘着テープ１２１を設置し、フロントガラスＷ上に接着する。
基盤２２の片側には、第二関節ユニット２２１を設置し、第二関節ユニット２２１と反射板２１の第一関節ユニット２１１は、相互に係合して結合し、第一旋回関節Ａを形成する。
【００５０】
サポートアーム２３の前端には、第四関節ユニット２３１を設置する。
サポートアーム２３後端には、第五関節ユニット２３２を設置する。
第四関節ユニット２３１と反射板２１片側の第三関節ユニット２１２は、相互に係合して結合し、第二旋回関節Ｂを形成する。
【００５１】
スライドキット２４の前端には、第六関節ユニット２４１を設置する。
第六関節ユニット２４１とサポートアーム２３の第五関節ユニット２３２は、相互に係合して結合し、第三旋回関節Ｃを形成する。
これにより、第三旋回関節Ｃに連接される反射板２１は、限度を有する上下左右旋回を行え、その回転方向を簡単に調整可能なため、ドライバーは最良の視覚角度を得ることができる。
【００５２】
図４に示す通り、本考案の表示モジュール１は、コントロールユニット１４、無線ユニット１５、スピーカーユニット１６及び音声受取ユニット１７をさらに有する。
【００５３】
コントロールユニット１４は、表示モジュール１に設置され、回路基板１３に電気的に連接し、コントロールユニット１４は、分離式ヘッドアップディスプレイデバイスの機能コントロールユニットである。
コントロールユニット１４は、電源ボタン１４１、再生ボタン１４２、映像切換ボタン１４３、通話ボタン１４４及びダイヤル１４５を有する。
電源ボタン１４１は、表示モジュール１を起動する。
再生ボタン１４２は、音楽ファイルの再生に用いる。
映像切換ボタン１４３は、ナビゲーション画面、設定画面等の回路基板１３が出力する映像を切り換えるために用いる。
通話ボタン１４４は、スピーカーフォンとして用いる。
ダイヤル１４５は、音量調整ダイヤルで、ダイヤル１４５を右に回すと音量が増え、音が大きくなり、ダイヤル１４５を左に回すと、音量が減り、音が小さくなる。
【００５４】
無線ユニット１５は、電子デバイスＥが無線伝送する信号データを受け取る。
無線ユニット１５は、ブルートゥース（登録商標）或いはＷｉＦｉ（登録商標）で、電子デバイスＥは、車用デバイス、車載コンピューター、車用音響デバイス、天井取付型マルチメディア再生デバイス、ヘッドレスト型マルチメディア再生デバイス、スピーカーフォンデバイス、ナビゲーションデバイス、タイヤ空気圧監視デバイス、スマートフォン或いはタブレットＰＣ等である。
無線ユニット１５と車両の電子デバイスＥとが無線連結すると、車速を表示でき、画面情報は、車両電池残量、ドアの閉鎖の有無、トランクの閉鎖の有無、自動車走行速度、道路制限速度、ナビゲーション方向指示等メッセージで、例えばタイヤ空気圧監視デバイスは、車両のタイヤ空気圧を表示する。
無線ユニット１５と携帯電話とが連結すると、画面情報は車速を表示する他、携帯電話ＡＰＰが伝送する各項情報を表示でき、例えば携帯電話音楽再生は無線ユニット１５へと無線伝送される。
【００５５】
スピーカーユニット１６は、回路基板１３に電気的に連接し、スピーカーユニット１６は、音声メッセージを出力しドライバーに伝え、電子デバイスＥから伝送される音声ファイルを再生し、或いはアラームとして用いることができる。
【００５６】
音声受取ユニット１７は、回路基板１３に電気的に連接し、音声受取ユニット１７は、音声メッセージを受け取り、スピーカーフォンとして用いる。
【００５７】
図８に示す通り、基盤２２には、吸磁性金属板２２２を設置する。
スライドキット２４の後端には、磁石２４２を設置し、磁石２４２と吸磁性金属板２２２は相互に吸着する方式で固定される。
これにより、スライドキット２４は、基盤２２に固定され、比較的大きな力を加えれば、滑り動かすことができる。
【００５８】
図９に示す通り、基盤２２には、スライドレール２２３をさらに有する。
スライドキット２４の後端は、基盤２２のスライドレール２２３に嵌め入れられる。
スライドキット２４の後端は、スライドレール２２３においてスライドする方式で固定され、これによりスライドキット２４の後端は、基盤２２に固定され、比較的大きな力を加えれば、滑り動かすことができる。
【００５９】
図８に示す通り、第一旋回関節Ａは、ユニバーサルステアリングジョイントで、第二旋回関節Ｂは、回転軸構造である。
第三旋回関節Ｃは、ユニバーサルステアリングジョイントで、第一関節ユニット２１１と第五関節ユニット２３２は、球型構造である。
第二関節ユニット２２１と第六関節ユニット２４１は、凹型構造である。
第三関節ユニット２１２と第四関節ユニット２３１は、回転軸構造である。
【００６０】
図９に示す通り、第一旋回関節Ａは、ユニバーサルステアリングジョイントで、第二旋回関節Ｂは、回転軸構造である。
第三旋回関節Ｃは、ユニバーサルステアリングジョイントで、第一関節ユニット２１１と第六関節ユニット２４１は、球型構造である。
第二関節ユニット２２１と第五関節ユニット２３２は、凹型構造である。
第三関節ユニット２１２と第四関節ユニット２３１は、回転軸構造である。
【００６１】
図１０に示す通り、第一旋回関節Ａは、ユニバーサルステアリングジョイントで、第二旋回関節Ｂは、ユニバーサルステアリングジョイントで、第三旋回関節Ｃは、回転軸構造である。
第一関節ユニット２１１と第三関節ユニット２１２は、球型構造である。
第二関節ユニット２２１と第四関節ユニット２３１は、凹型構造である。
第五関節ユニット２３２と第六関節ユニット２４１は、回転軸構造である。
【００６２】
図１１に示す通り、第一旋回関節Ａは、ユニバーサルステアリングジョイントで、第二旋回関節Ｂは、ユニバーサルステアリングジョイントで、第三旋回関節Ｃは、回転軸構造である。
第一関節ユニット２１１と第四関節ユニット２３１は、球型構造である。
第二関節ユニット２２１と第三関節ユニット２１２は、凹型構造である。
第五関節ユニット２３２と第六関節ユニット２４１は、回転軸構造である。
【００６３】
図１２に示す通り、第一旋回関節Ａは、ユニバーサルステアリングジョイントで、第二旋回関節Ｂは、ユニバーサルステアリングジョイントで、第三旋回関節Ｃは、ユニバーサルステアリングジョイントで、第一関節ユニット２１１、第三関節ユニット２１２、第六関節ユニット２４１は、球型構造である。
第二関節ユニット２２１、第四関節ユニット２３１、第五関節ユニット２３２は、凹型構造である。
【００６４】
図１３に示す通り、第一旋回関節Ａは、ユニバーサルステアリングジョイントで、第二旋回関節Ｂは、ユニバーサルステアリングジョイントで、第三旋回関節Ｃは、ユニバーサルステアリングジョイントで、第一関節ユニット２２１、第三関節ユニット２１２、第五関節ユニット２３２は、球型構造である。
第二関節ユニット２２１、第四関節ユニット２３１、第六関節ユニット２４１は、凹型構造である。
【００６５】
図１４に示す通り、第一旋回関節Ａは、ユニバーサルステアリングジョイントで、第二旋回関節Ｂは、ユニバーサルステアリングジョイントで、第三旋回関節Ｃは、ユニバーサルステアリングジョイントで、第一関節ユニット２１１、第四関節ユニット２３１、第六関節ユニット２４１は、球型構造である。
第二関節ユニット２２１、第三関節ユニット２１２、第五関節ユニット２３２は、凹型構造である。
【００６６】
図１５に示す通り、第一旋回関節Ａは、ユニバーサルステアリングジョイントで、第二旋回関節Ｂは、ユニバーサルステアリングジョイントで、第三旋回関節Ｃは、ユニバーサルステアリングジョイントで、第一関節ユニット２１１、第四関節ユニット２３１、第五関節ユニット２３２は、球型構造である。
第二関節ユニット２２１、第三関節ユニット２１２、第六関節ユニット２４１は、凹型構造である。
【００６７】
本考案の分離式ヘッドアップディスプレイデバイスは、深刻なガタつき問題を解決でき、基盤２２に粘着テープを設置しフロントガラスＷ上に接着する構造を利用し、反射板調整デバイス２の重量を基盤２２の粘着テープにより受け止め、反射板２１をダッシュボードＤとフロントガラスＷに固定すると、ダッシュボードＤとフロントガラスＷの震動周波数が異なるために生じるガタつきを打ち消すことができる。
また、第一、二、三旋回関節Ａ、Ｂ、Ｃの構造を利用し、反射板２１の上下左右の角度を調整でき、その回転方向を簡単に調整可能なため、ドライバーは最良の視覚角度を得ることができる。
【００６８】
上記を総合すると、本考案の分離式ヘッドアップディスプレイデバイスは、基盤に設置する粘着テープをフロントガラスに接着する構造を利用し、これにより反射板をダッシュボードとフロントガラスに固定する時に生じるガタつきを消すことができる。
また、各旋回関節を利用し、反射板の回転方向を簡単に調整できるため、ドライバーは最良の視覚角度を得ることができ、こうして自動車走行の安全性を高めることができる。
【００６９】
前述した本考案の実施形態は本考案を限定するものではなく、よって、本考案により保護される範囲は後述される実用新案登録請求の範囲を基準とする。
【符号の説明】
【００７０】
１  表示モジュール
１１  表示ユニット
１２  ベース
１２１  粘着テープ
１２２  スライド槽
１３  回路基板
１３０  プロセッサー
１４  コントロールユニット
１４１  電源ボタン
１４２  再生ボタン
１４３  映像切換ボタン
１４４  通話ボタン
１４５  ダイヤル
１５  無線ユニット
１６  スピーカーユニット
１７  音声受取ユニット
２  反射板調整モジュール
２１  反射板
２１１  第一関節ユニット
２１２  第三関節ユニット
２２  基盤
２２１  第二関節ユニット
２２２  吸磁性金属板
２２３  スライドレール
２３  サポートアーム
２３１  第四関節ユニット
２３２  第五関節ユニット
２３３  磁石
２４  スライドキット
２４１  第六関節ユニット
２４２  磁石
Ａ  第一旋回関節
Ｂ  第二旋回関節
Ｃ  第三旋回関節
Ｄ  ダッシュボード
Ｗ  フロントガラス
【図１】
0003204732.tif 000003
【図２】
0003204732.tif 000004
【図３】
0003204732.tif 000005
【図４】
0003204732.tif 000006
【図５】
0003204732.tif 000007
【図６】
0003204732.tif 000008
【図７】
0003204732.tif 000009
【図８】
0003204732.tif 000010
【図９】
0003204732.tif 000011
【図１０】
0003204732.tif 000012
【図１１】
0003204732.tif 000013
【図１２】
0003204732.tif 000014
【図１３】
0003204732.tif 000015
【図１４】
0003204732.tif 000016
【図１５】
0003204732.tif 000017